(57)【要約】【課題】    従来の担架による傷病者を搬送する際、二人ないし四人での経験や訓練を受けた消防・救急関係者によって行われているが、傷病者の体重を搬送者で分担して持ち上げて搬送することになるが極めて重く足元の環境によっては不安定で、慎重さを要し傷病者にも負担を掛け危険度も高い。このいう理由からも安心・安全運動や市民防災対策の高まった昨今、一般の市民でも簡単で負担なく活用できる担架が求められている。【解決手段】  担架に折りたたみ機能のついたスタンドと車輪を付加し、従来は担架に乗せた傷病者の前後から担架ごと持ち上げていた方法であったものを、本発明では付加した車輪が傷病者と担架自体の重量を殆ど受けることで、搬送者は少ない荷重で前進移動するだけとなり一人でも容易に搬送できることで、力の弱い女性や高齢者でも軽負担で使用可能な車輪付き自立型担架は解決した。このことで町会や中小企業などの小さな組織でも専門職でない誰でもが防災や救援活動に参加できることが可能になった。【選択図】図１４
2011156328.tif 000002
【特許請求の範囲】
【請求項１】
担架にスタンド、車輪及び二つ折り、四つ折り可能な折りたたみ機構付きのブラケットの各機構が組み込まれている車輪付き自立型担架。
【請求項２】
スタンドと車輪は個々にブラケット部を共有し、使用時は垂直位置に自立固定する。収納保管時は担架バーと平行な退避位置に折りたたみができる、しかも収納保管スペースの幅と高さ寸法小さくするために担架を二つ折り、または四つ折りが可能な車輪付き自立型担架。
【発明の詳細な説明】
【技術分野】
【０００１】    本発明は傷病者（１３）を高齢者や婦女子でも一人で軽く容易に搬送でき、しかも搬送途中においても担架（１）を土間（１０）や床に下ろすことなくその状態で一時休憩や待機することができる。また搬送しないで現場において縁台や長椅子代わりとしても応用できる車輪付き自立型担架である。
【背景技術】
【０００２】    従来の担架搬送は複数の二人〜四人によって傷病者を担架を含めて持ち上げていたが、傷病者の体重が４０Ｋｇから８０Ｋｇになると、搬送者１人あたり担架を含め２０Ｋｇから４０Ｋｇにもなる荷重を持ち上げ搬送することになり、極めてきつく職業として訓練を受けている消防、救急関係者でも容易ではない。まして一般の市民では不可能に近く、担架が現場にあっても使い切れないことが多かった。【０００３】    この点、特許文献１において一人搬送できる構造ではあるが、部品点数が多く又組立前に部品が何点かに分かれており、その組立時においては工具を使う構造である。この為組立及び解体時にはある程度の熟知と経験を要する。収納保管時においても部品の管理が極めて重要である。本発明はこの点を重視し、組立、収納手順は極めて少なく１．２分で完了する。次に組立、収納、保管に至るまで全ての部品が一体化しており紛失することは無い。また組立、収納、保管に至るまで一切の工具は不要としている。従い誰でも容易に初めて見た未経験者でもスタンドと車輪を起こすだけの組立てで、収納手順は容易に想像できるレベルのものである。特許文献２は特許文献１と同様に一人搬送を目的とし、既存の担架に着脱式にすることで支柱機構と車輪機構を補助具とし可搬式にしている。この方法は担架を土間に置いて傷病者を乗せられることを前提にし、その後に支柱機構と車輪機構部を担架に組み込み、その後担架を起こす構造であるが、機構が複雑であるため作業手順が極めて多く、熟知と経験及び作業手順を忘れない程度の定期的な訓練を要する。また担架自体は元来、搬送中にたわみや捻れが大きく支柱部と車輪部の担架のバーを挟んでいる支持金具が搬送中に緩み、外れる場合があり車輪側が外れると傷病者が担架から落下する危険が充分に考えられる。本発明はこの点を重視し、構造上スタンドと車輪機構は担架とはねじや溶接で組込み一体化し、外れるものが無くたわみや捻れにはスタンド、車輪を受けているブラケット部が一定の自在性の遊びを設けている。そのためスタンドや車輪部が外れることの無いことを承知している搬送者に不安は無い。この特許文献２の機構はその組立、解体時においては工具を使わない構造であるが担架と支柱、車輪部の機構が着脱できることで一定の小型化は可能であるが機構が複雑で組立、解体、収納手順が複雑なこととバラバラになる部品点数が多いことで紛失のない保管の管理が難しい弱点がある。本発明は設計基本が組立、収納に至るまでねじ、１本外さないで組立が行える。基本的にはスタンドと車輪部を９０°旋回後ノブで固定するだけで済む、極めて単純明快機構であるため搬送者は勿論、管理者においても安心できる車輪付き自立型担架である。
【先行技術文献】
【特許文献】
【０００４】
【特許文献１】特開２００７−８２９９６
【特許文献２】実用新案登録第３１１２３０１号
【発明の概要】
【発明が解決しようとする課題】
【０００５】    緊急時において担架搬送する場合に四人で軽く容易に搬送することが難しく、しかも搬送途中で搬送状態を維持したまま、小休止や待機はできず土間や床に下ろす以外対応できなかった。従来にも搬送者の負担軽減を目的とする担架はあったが、担架にスタンドや車輪を装着することが構造上複雑で緊急時に手順や機構上において組立ての戸惑いを生じた。その為に体で手順を覚えるまでの定期的な訓練や熟練を要した。また搬送中に装着部分が振動や担架のたわみと捻れで緩む場合があり、傷病者と搬送者に安全上の不安を与えていた。
【課題を解決しようとする手段】
【０００６】    （イ）担架（１）と足まわりであるスタンド（３）、車輪（４）及びそれに付随するブラケット（５）を担架バー（２）に固定され、使用する際にスタンド（３）と車輪（４）を起こし垂直位置にて固定する機構とする。
（ロ）二つ折りや四つ折り構造をもつ担架においても付加したスタンド（３）と車輪（４）は折りたたまれた退避状態位置や垂直位置に固定した状態でも担架は担架バー（２）長手方向と幅方向に折りたためる構造とする。
【発明の効果】
【０００７】    （イ）傷病者（１３）を一人の搬送者（１４）で図１４のごとくで搬送できる。
（ロ）搬送者（１４）の持つ荷重は傷病者（１３）と担架（１）の両荷重を車輪（４）が大部分受けることで従来の１／２から１／４相当に軽減できる。
（ハ）傷病者（１３）を搬送途中でも搬送状態を維持したままスタンド（３）を土間（１０）に下ろし担架が膝元の高さで平行に自立して置かれ小休止や待機ができる。
【０００８】    （イ）車輪（４）は救急車や病院で多く使用されているストレッチャーに比べ、大型で直径が４０Ｃｍ前後と極めて大きく、ゴム部分が太くクッションがあるため凸凹のある砂利道や多少のぬかるみでも転倒することなく、傷病者（１３）に与える振動などのショックを最小限にし安定して搬送できる。
【０００９】    （イ）保管状態から使用準備まで極めて簡単に、スタンド（３）と車輪（４）を起こすだけで１〜２分程度の短時間で組立を完了できる。
（ロ）スタンド（３）と車輪（４）を退避後、担架（１）を図４のごとく壁に立てかけることで保管スペースは極めて少なくできる。さらに担架を二つ折りに、また四つ折りにすることで幅、高さ、長さの全てを小さくすることで図５のごとく収納スペースは組立状態の１／８以下に、極めて小さくできる大きなメリットがある。収納時の小型化で車輪付きの収納箱や木箱程度でも簡単に収まり運搬も楽にできる。
（ハ）構造が簡単で特殊な機構や部品を使わないため安価にできる。
【図面の簡単な説明】
【００１０】
【図１】本発明の車輪付き自立型担架の全体斜視図である。
【図２】本発明の車輪付き自立型担架の二つ折りを示す上面図である。
【図３】本発明の車輪付き自立型担架の四つ折りを示す上面図である。
【図４】本発明の車輪付き自立型担架の二つ折り時の保管中を示す側面図である。
【図５】本発明の車輪付き自立型担架の四つ折り時を示す側面図である。
【図６】本発明の車輪付き自立型担架の四つ折り時の動きと寸法の変化図である。
【図７】本発明の車輪付き自立型担架の保管中にスタンド、車輪を起こした状態の側面図である。
【図８】本発明の車輪付き自立型担架をスタンド、車輪を起こし二つ折りを開き床に置いた状態の側面図である。
【図９】本発明の車輪付き自立型担架を二つ折りを開いた状態の上面図である。
【図１０】本発明の車輪付き自立型担架を二つ折りにした状態を車輪側から見た図である。
【図１１】本発明の車輪付き自立型担架を二つ折りを開いた状態を車輪側から見た図である。
【図１２】本発明の車輪付き自立型担架に傷病者を乗せた状態の上面図である。
【図１３】本発明の車輪付き自立型担架に傷病者を乗せた状態の側面図である。
【図１４】本発明の車輪付き自立型担架に傷病者を乗せ搬送中の状態を示すイメージ図である。
【図１５】本発明の車輪付き自立型担架を組立状態から二つ折り時の動きと寸法の変化図である。
【図１６】本発明の車輪付き自立型担架の四つ折り状態を車輪側から見た図である。
【図１７】本発明の車輪付き自立型担架の四つ折り機構部分を見た斜視図である。
【発明を実施するための形態】
【００１１】    以下、本発明の実施形態を図１〜図１７で説明する。
（イ）担架（１）にスタンド（３）と車輪（４）の組み込まれたブラケット（５）を担架バー（２）の長手方向の両端から１／４程度の位置にねじ類や溶接で取付固定する。
（ロ）ブラケット（５）はスタンド（３）と車輪（４）を担架の垂直位置状態から中央方向に旋回退避できる構造とする。
（ハ）スタンド（３）と車輪（４）の垂直位置から退避位置までの旋回移動はステー固定ノブ（６）を緩めて、スタンド（３）と車輪（４）を旋回させ終端である退避位置でステー固定ノブ（６）を締め付けて固定する。垂直位置側への移動も逆方向に同じ方法で固定する機能を持つ。
【実施例】
【００１２】    以下、添付図に従って一実施例を説明する。図１、図７、図８、図９、図１１、図１３、図１４、図１５において担架（１）は一般の市販されている二つ折り又は四つ折りの担架で、搬送者（１４）が搬送するときに握る部分が担架バー（２）である。この担架（１）に本発明では担架バー（２）に新たに次の部分が付加されている。各図を見ると折りたたみ機構の付いたブラケット（６）にスタンド（３）が垂直位置と待機位置までのスムースな動きと両位置でのスタンド（３）のぐらつきを無くすためのステー（７）をしっかり固定させるステー固定ノブ（６）がある。勿論、スタンド（３）は担架（１）が土間（１０）、床（１１）に図１のように自立させるための垂直位置でも同様にステー（７）とステー固定ノブ（６）もスタンド（３）の９０°の旋回中に同期しながらブラケット（５）のステー移動溝（１７）の中を移動する。自立している垂直位置と折りたたまれた待機位置の定位置でステー（７）をしっかりと旋回中に緩められていたステー固定ノブ（６）を締め付けることでスタンド（３）はしっかり固定し担架の長手方向のぐらつきは防止できる。車輪（４）も同様の方法によって垂直位置でぐらつかないよう固定することで図１の状態を維持できる。幅方向のぐらつき防止は担架二つ折りパイプ（８）はスタンド（３）側と車輪（４）側の二カ所に組込まれ、担架（１）を広げきった所でその幅で固定する構造にすることで解決している。【００１３】    図２、図９、図１０、図１５について実施例を説明する。市販の担架（１）では担架本体の図９のごとく担架幅拡大方向（１６）から担架幅収縮方向（２１）幅を変えて小型化し、保管時のスペースを小さくできるメリットがある構造であり、上面から見れば図２、側面から見れば図１０の通りである。この構造の担架（１）に本発明の足まわりであるブラケット（５）、スタンド（３）、車輪（４）などを付加することで図２の状態の通り、保管中には担架は図７のように自立した高さ（２６）に比べ図４のごとくスタンド（３）と車輪（４）を折りたたむことで、さらに高さ（２６）寸法を低くすることにより図４の壁（１２）に立て掛けた時の床面積はさらに小さくできるメリットが出て保管場所としても効率が良い。【００１４】    図１、図１２、図１３、図１４について実施例を説明する。図１、図１４のように本発明の車輪付き自立型担架のスタンド（３）側に傷病者（１３）の頭部にして担架に（３）乗せる。搬送者（１４）は同じスタンド（３）側に位置し担架バー（２）を握り、図１４のように前進する。この際のスタンド（３）は土間（１０）から、おおよそ１０Ｃｍ前後離れ搬送移動する。前進時に多少の小石、砂利のある道や泥道でも車輪径が４０Ｃｍ前後と大きく、クッション性のあるノーパンクタイヤ製の車輪（４）を使うことで楽に搬送移動でき、また振動や衝撃を吸収できるため傷病者（１３）に負担を掛けないメリットがある。【００１５】    図３、図５、図６、図１６、図１７については説明すると、四つ折り担架の場合、通常担架は長手方向に長さは２ｍ程度あるが保管や移動時につては、長すぎ不便であったが四つ折りにすることである程度解決できる。そこで、四つ折り担架でも本発明の足まわりであるブラケット（５）、スタンド（３）、車輪（４）などを付加することで図３、図５、図６、図１６、の状態の通り、保管中には担架は図６のように１８、１９、２０の各方向にスタンド（３）と車輪（４）及び担架バー（２）を折りたたむことで、担架全体の組立状態に比べ体積比は１／８程度までに小型に収まり、収納、保管、輸送に最適になる。また、四つ折り時と組立時には担架の中央から折り返すことになるが、この時の折りたたみ連結部分に蝶番（１５）と組立時のしっかりとした状態で固定する目的で担架四つ折り固定ピン（１６）などを用いる。図１７はその組立状態を示している。
【符号の説明】
【００１６】    １  担架
２  担架バー
３  スタンド
４  車輪
５  ブラケット
６  ステー固定ノブ
７  ステー
８  担架二つ折りパイプ
９  担架シート
１０  土間
１１  保管場所床
１２  保管場所壁
１３  傷病者
１４  搬送者
１５  担架四つ折り蝶番
１６  担架四つ折り固定ピン
１７  ステー移動溝
１８  車輪折りたたみ方向
１９  スタンド折りたたみ方向
２０  担架四つ折り方向
２１  担架二つ折り方向
２２  担架四つ折り時長さ
２３  担架四つ折り時高さ
２４  担架四つ折り時幅
２５  担架組立時幅
２６  担架組立時高さ
【図１】
2011156328.tif 000003
【図２】
2011156328.tif 000004
【図３】
2011156328.tif 000005
【図４】
2011156328.tif 000006
【図５】
2011156328.tif 000007
【図６】
2011156328.tif 000008
【図７】
2011156328.tif 000009
【図８】
2011156328.tif 000010
【図９】
2011156328.tif 000011
【図１０】
2011156328.tif 000012
【図１１】
2011156328.tif 000013
【図１２】
2011156328.tif 000014
【図１３】
2011156328.tif 000015
【図１４】
2011156328.tif 000016
【図１５】
2011156328.tif 000017
【図１６】
2011156328.tif 000018
【図１７】
2011156328.tif 000019